(57)【要約】【課題】  複数の表示画面間の遷移のみ確認して、表示画面のデザインを容易に変更することができ、また、表示データの追加・変更・削除等も容易に行えるウェブ・ページ・コンテンツ生成システムを提供することにある。【解決手段】  ウェブ・ページ・コンテンツ生成システムは、処理装置１２と、画面レイアウトファイル１４と、動作指示ファイル１６と、データベース１８とから構築されている。画面レイアウトファイル１４は、画面のレイアウトを定義するファイルであり、動作指示ファイル１６は、画面レイアウトファイル１４に対応付けられて構成され、データベース１８から必要な情報を取り出すための動作が記述されている。処理装置１２は、画面レイアウトファイル１４と、動作指示ファイル１６とを関連づけて、ウェブ・ページ・コンテンツを生成する。【選択図】  図１
2006276989.tif 000002
【特許請求の範囲】
【請求項１】
ウェブ・ページ・コンテンツを生成するウェブ・ページ・コンテンツ生成システムであって、
画面のレイアウトを定義する画面レイアウトファイルと、
前記画面レイアウトファイルに対応付けられて構成され、データベースから必要な情報を取り出すための動作を記述した動作指示ファイルと、
前記画面レイアウトファイルと、前記動作指示ファイルとを関連づけて、ウェブ・ページ・コンテンツを生成する処理手段とを備えたことを特徴とするウェブ・ページ・コンテンツ生成システム。
【請求項２】
請求項１記載のウェブ・ページ・コンテンツ生成システムにおいて、
前記画面レイアウトファイルは、複数のレイアウトファイル間を遷移するための情報が含まれることを特徴とするウェブ・ページ・コンテンツ生成システム。
【請求項３】
請求項１記載のウェブ・ページ・コンテンツ生成システムにおいて、
前記画面レイアウトファイルは、開始を示す識別タグと、終了を示す識別タグによりブロック化されており、かつ、このブロックには固有の名称が付されており、
前記動作指示ファイルの動作の記述は、前記固有の名称により、前記画面レイアウトファイルと対応付けられていることを特徴とするウェブ・ページ・コンテンツ生成システム。
【請求項４】
請求項３記載のウェブ・ページ・コンテンツ生成システムにおいて、
前記動作指示ファイルは、前記固有の名称により対応付けられた記述の中に、表示する内容を含むことを特徴とするウェブ・ページ・コンテンツ生成システム。
【請求項５】
請求項３記載のウェブ・ページ・コンテンツ生成システムにおいて、
前記画面レイアウトファイルの中の前記ブロックは、前記データベースからデータを読み出すときのデータベースの各ファイルの中のフィールドの番号の情報を含むことを特徴とするウェブ・ページ・コンテンツ生成システム。
【発明の詳細な説明】
【技術分野】
【０００１】
本発明は、ウェブ・ページ・コンテンツ生成システムに関する。
【背景技術】
【０００２】
従来、例えば、特開２０００−１６３１８３号公報や、特開２００２−１３２６５３号公報に記載のように、ウェブ・ページ・コンテンツを専門技術を不要として容易に作成するものが知られている。
【０００３】
【特許文献１】特開２０００−１６３１８３号公報
【特許文献２】特開２００２−１３２６５３号公報
【発明の開示】
【発明が解決しようとする課題】
【０００４】
一般に、ウェブ・ページ・コンテンツを生成するには、ウェブ・ページ・コンテンツの表示画面をデザインするデザイナーと、表示画面をＨＴＭＬタグ等を用いてプログラミングするプログラマーの共同作業となる。そして、最終的にプログラミングされた一つのファイルが生成されている。
【０００５】
しかしながら、このように一つのファイルでウェブ・ページ・コンテンツを生成する場合には、最終的なウェブ・ページ・コンテンツのファイルが生成されないと、例えば、複数の表示画面間を遷移する場合において、デザイナーが表示画面の遷移状態のみを確認することができず、表示画面のデザインを容易に変更することができないという問題があった。
【０００６】
また、表示データの追加・変更・削除等も容易に行えないという問題があった。
【０００７】
例えば、特開２０００−１６３１８３号公報や、特開２００２−１３２６５３号公報に記載のものでは、ウェブ・ページ・コンテンツを容易に作成することはできるものの、複数の表示画面間の遷移のみ確認して、表示画面のデザインを容易に変更することができないものであり、また、表示データの追加・変更・削除等も容易に行えないという問題があった。
【０００８】
本発明の目的は、複数の表示画面間の遷移のみ確認して、表示画面のデザインを容易に変更することができ、また、表示データの追加・変更・削除等も容易に行えるウェブ・ページ・コンテンツ生成システムを提供することにある。
【課題を解決するための手段】
【０００９】
（１）上記目的を達成するために、本発明は、ウェブ・ページ・コンテンツを生成するウェブ・ページ・コンテンツ生成システムであって、画面のレイアウトを定義する画面レイアウトファイルと、前記画面レイアウトファイルに対応付けられて構成され、データベースから必要な情報を取り出すための動作を記述した動作指示ファイルと、前記画面レイアウトファイルと、前記動作指示ファイルとを関連づけて、ウェブ・ページ・コンテンツを生成する処理手段とを備えるようにしたものである。  
かかる構成により、複数の表示画面間の遷移のみ確認して、表示画面のデザインを容易に変更することができ、また、表示データの追加・変更・削除等も容易に行えるものとなる。
【００１０】
（２）上記（１）において、好ましくは、前記画面レイアウトファイルは、複数のレイアウトファイル間を遷移するための情報が含まれるものである。
【００１１】
（３）上記（１）において、好ましくは、前記画面レイアウトファイルは、開始を示す識別タグと、終了を示す識別タグによりブロック化されており、かつ、このブロックには固有の名称が付されており、前記動作指示ファイルの動作の記述は、前記固有の名称により、前記画面レイアウトファイルと対応付けられているものである。
【００１２】
（４）上記（３）において、好ましくは、前記動作指示ファイルは、前記固有の名称により対応付けられた記述の中に、表示する内容を含むものである。
【００１３】
（５）上記（３）において、好ましくは、前記画面レイアウトファイルの中の前記ブロックは、前記データベースからデータを読み出すときのデータベースの各ファイルの中のフィールドの番号の情報を含むものである。
【発明の効果】
【００１４】
本発明によれば、複数の表示画面間の遷移のみ確認して、表示画面のデザインを容易に変更することができ、また、表示データの追加・変更・削除等も容易に行えるものとなる。
【発明を実施するための最良の形態】
【００１５】
以下、図１〜図１３を用いて、本発明の一実施形態によるウェブ・ページ・コンテンツ生成システムの構成及び動作について説明する。  
最初に、図１を用いて、本実施形態によるウェブ・ページ・コンテンツ生成システムのシステム構成について説明する。  
図１は、本発明の一実施形態によるウェブ・ページ・コンテンツ生成システムのシステム構成を示すブロック図である。
【００１６】
サーバ１０の中には、処理装置１２と、画面レイアウトファイル１４と、動作指示ファイル１６と、データベース１８とからなるウェブ・ページ・コンテンツ生成システムが構築されている。サーバ１０は、インターネット等を介して、クライアント２０に接続されている。ユーザは、クライアント２０のＷｅｂブラウザ２２を用いて、データベース１８にアクセスして、データベース１８から所望のデータを検索することができる。
【００１７】
処理装置１２は、ユーザからの検索等のリクエストに応じて、画面レイアウトファイル１４と、動作指示ファイル１６とを用い、さらに、データベース１８の所望のデータを用いて、ユーザの検索に対するウェブ・ページ・コンテンツを生成し、回答画面をクライアント２０に送って、Ｗｅｂブラウザ２２に表示することができる。
【００１８】
ここで、本実施形態の特徴とする点は、ウェブ・ページ・コンテンツを生成するためのファイルとして、１）画面レイアウトファイル１４と、２）動作指示ファイル１６の２つのファイルを用いていることである。画面レイアウトファイル１４は、画面のレイアウトを定義しているファイルであり、例えば、ＨＴＭＬ形式で記述されている。画面レイアウトファイル１４は、ウェブ・ページ・コンテンツのデザイナーが考えた表示画面のレイアウトを表示するに十分な内容である。動作指示ファイル１６は、ユーザからのリクエストに応じて、必要な情報をデータベース１８から取り出すための動作を記述したファイルであり、例えば、ＸＭＬ形式で記述されている。なお、従来は、両者が合成されたような一つのファイルのみを用いていた。画面レイアウトファイル１４，動作指示ファイル１６，データベース１８の構成については、図２〜図４を用いて詳述する。
【００１９】
次に、図２を用いて、本実施形態によるウェブ・ページ・コンテンツ生成システムにて用いる画面レイアウトファイル１４の一例について説明し、また、図３を用いて、本実施形態によるウェブ・ページ・コンテンツ生成システムにて用いる動作指示ファイル１６の一例について説明する。  
図２は、本発明の一実施形態によるウェブ・ページ・コンテンツ生成システムにて用いる画面レイアウトファイルの一例の説明図である。図２（Ａ）は、画面レイアウトファイル１４の内容を示し、図２（Ｂ）は、画面の表示例を示している。また、図３は、本発明の一実施形態によるウェブ・ページ・コンテンツ生成システムにて用いる動作指示ファイルの一例の説明図である。
【００２０】
図２，図３において、図２（Ａ）の画面レイアウトファイル１４の太枠線で囲まれた部分（ａ１）は、図２（Ｂ）の太枠線部分（ａ２）及び図３の動作指示ファイル１６の太枠線部分（ａ３）に対応している。また、図２（Ａ）の太枠線で囲まれた部分（ｂ１）は、図２（Ｂ）の太枠線部分（ｂ２）及び図３の太枠線部分（ｂ３）に対応している。
【００２１】
図２（Ａ）の太枠線部分（ａ１）では、「<!_NAME=選択>」とＨＴＭＬ形式で記述しており、このブロック（ａ１）の名称が「選択」であることを定義している。このブロック（ａ１）は、「<!_NAME=選択>」という開始の識別タグと、「<!_end>」という終了の識別タグにより、固まりであるブロックを指示している。そして、開始の識別タグである「<!_NAME=選択>」の中で、「選択」というブロックの名称を定義している。一方、図３の太枠線部分（ａ３）では、「<BlockName>選択</BlockName>」とＸＭＬ形式で記述して、同じ名称（「選択」）により、図２（Ａ）の太枠線部分（ａ１）と、図３の太枠線部分（ａ３）とを対応付けている。
【００２２】
図２（Ａ）の太枠線部分（ａ１）と図２（Ｂ）の太枠線部分（ａ２）とは対応するものであり、図２（Ａ）の太枠線部分（ａ１）では、図２（Ｂ）に示す表示画面の例の中で、項目「業種」の入力欄（四角い枠）の右側の下向きの黒三角により、「業種」の入力欄に入力可能なデータ（データ名：#D00#）を選択できるようにしている。一方、ＸＭＬ形式記述された図３の動作指示ファイル１６にて、「selet 業種 from 業種マスター」と記述することで、データベース１８の中にある「業種マスター」というファイルの中から、「業種」を選択することを指示している。
【００２３】
また、図２（Ａ）の太枠線部分（ｂ１）と図２（Ｂ）の太枠線部分（ｂ２）とは対応するものであり、図２（Ａ）の太枠線部分（ｂ１）では、図２（Ｂ）に示す表示画面の例の中で、項目「会社コード」，「会社名」，「業種」の表示欄に、それぞれのデータ（データ名：#D00#，#D01#，#D02#）を表示できるようにしている。一方、ＸＭＬ形式記述された図３の動作指示ファイル１６にて、「selet 会社コード，会社名，業種 from 会社データ」と記述することで、データベース１８の中にある「会社データ」というファイルの中から、「会社コード，会社名，業種」を選択することを指示している。
【００２４】
ここで、図４を用いて、本実施形態によるウェブ・ページ・コンテンツ生成システムにて用いるデータベース１８のファイル構成について説明し、また、図５を用いて、本実施形態によるウェブ・ページ・コンテンツ生成システムにて生成される回答画面の一例について説明する。  
図４は、本発明の一実施形態によるウェブ・ページ・コンテンツ生成システムにて用いるデータベースのデータ構成の説明図である。また、図５は、本発明の一実施形態によるウェブ・ページ・コンテンツ生成システムにて生成される回答画面の説明図である。図５（Ａ）は、ＨＴＭＬ形式で記述された回答画面のファイルの内容を示し、図５（Ｂ）は、回答画面の表示例を示している。
【００２５】
図４に示すように、データベース１８の中には、「業種マスター」というファイルがあり、その中には、「業種」として、「建築」，「土木」，「機械」等のデータが格納されている。図２（Ａ）に示した（データ名：#D00#）は、「業種マスター」というファイルの中の、フィールド番号を示しており、「業種」を示している。
【００２６】
また、データベース１８の中には、「会社データ」というファイルがあり、その中には、「会社コード」，「会社名」，「業種」の各項目に関するデータがそれぞれ格納されている。図２（Ａ）に示した（データ名：#D00#，#D01#，#D02#）は、「会社データ」というファイルの中の、フィールド番号を示しており、それぞれ、「会社コード」，「会社名」，「業種」のフィールドに対応している。
【００２７】
次に、処理装置１２は、画面レイアウトファイル１４に格納された図２（Ａ）に示した画面レイアウトファイルと、動作指示ファイル１６に格納された図３に示した動作指示ファイルとに基づいて、図５（Ａ）に示すような回答画面ファイルを作成し、インターネット等を経由して、ユーザのクライアント２０に送信する。送信された回答画面ファイルは、Ｗｅｂブラウザ２２によって、図５（Ｂ）に示すように回答画面として表示される。
【００２８】
すなわち、図５（Ｂ）の回答画面の中で、項目「業種」の入力欄（四角い枠）の右側の下向きの黒三角をクリックすると、そのリクエストがインターネットを介して、サーバ１０に送られ、処理装置１２は、図２（Ａ）の画面レイアウトファイル１４から「業種」の入力欄に入力可能なデータが、「データ名：#D00#」のデータであることを取得し、図３の動作指示ファイル１６の「selet 業種 from 業種マスター」との記述により、データベース１８の中にある「業種マスター」というファイルの中から、「業種」を選択することで、図５（Ｂ）に示すような、「建築」，「土木」，「機械」と表示されるプルダウンメニューを表示する。このとき、回答画面ファイルは、図５（Ａ）に示すように、太枠線部分（ａ４）では、「<!_NAME=選択>」と定義されたブロック「選択」において、データベース１８から取り込んだ「<OPTION value="建築">建築</OPTION>」等が記載されている。これによって、回答画面には、図５（Ｂ）に示すように、「建築」，「土木」，「機械」と表示されるプルダウンメニューが表示される。
【００２９】
図５（Ｂ）の太枠線部分（ｂ５）は、回答画面の会社コード等の表示例であり、このとき、回答画面ファイルは、図５（Ａ）の太枠線部分（ｂ４）のようになっている。
【００３０】
次に、図６及び図７を用いて、本発明の一実施形態によるウェブ・ページ・コンテンツ生成システムにて生成される表示画面の遷移例について説明する。  
図６は、本発明の一実施形態によるウェブ・ページ・コンテンツ生成システムにて生成される表示画面の遷移例の説明図である。図７は、本発明の一実施形態によるウェブ・ページ・コンテンツ生成システムによる表示画面の遷移例時の処理フローの説明図である。  
図６に示すように、トップ画面が、例えば、図６（Ａ）に示すような「会社一覧」という表示画面とする。図６（Ａ）の表示画面に対して、図６（Ｂ）に示すように、ユーザが、項目「会社名」に「山」と入力し、「検索」ボタンを選択することで、処理装置１２は、図６（Ｃ）に示すように、項目「会社名」に、「山」が含まれる「山本建設」，「山田土建」などをデータベース１８から選択し、それぞれの会社コードや業種のデータとともに表示する。
【００３１】
また、図６（Ａ）の表示画面に対して、図６（Ｄ）に示すように、ユーザが、項目「業種」として「土木」を選択入力し、「検索」ボタンを選択することで、処理装置１２は、図６（Ｅ）に示すように、項目「業種」が、「土木」である会社をデータベース１８から選択し、それぞれの会社コードや会社名のデータとともに表示する。さらに、図６（Ｅ）において、項目「会社コード」の中の「１０００２」を選択すると、図６（Ｆ）に示すように、「会社詳細」の画面に遷移し、選択された「斎藤技研」について、会社コード，会社名，業種，資本金などの詳細データを表示する。また、図６（Ｆ）において、「戻る」ボタンを選択すると、図６（Ｅ）の表示画面に遷移することができる。
【００３２】
以上の表示画面の変更や遷移は、図７に示す処理の流れに沿って、行われる。すなわち、例えば、クライアント１０側のステップｃ１０において、クライアント画面として、図６（Ａ）の「会社一覧」の画面が表示されているものとする。図６（Ａ）の表示画面において、項目「業種」の右側の下向き黒三角を、ユーザが選択したとすると、ステップｃ２０のクライアント回答は、図６（Ａ）の表示画面において、項目「業種」の右側の下向き黒三角を選択したという情報及び現在の表示画面が「会社一覧」という情報である。
【００３３】
このクライアント回答は、インターネットを経由して、サーバ１０側のステップｓ１０において、問い合わせパラメータとして処理装置１２に取り込まれる。処理装置１２は、問い合わせパラメータを、ステップｓ２０の表示画面名と、ステップｓ３０のその他のパラメータに分離して処理を実行する。上述のように、図６（Ａ）の表示画面において、項目「業種」の右側の下向き黒三角を、ユーザが選択した場合は、ステップｓ２０のみが実行される。処理装置１２は、問い合わせパラメータにおいて現在の表示画面が「会社一覧」という情報から、ステップｓ４０の画面レイアウトファイルにおいて、図２（Ａ）に示した「会社一覧」（<title>会社一覧<title>）を取得し、また、項目「業種」の右側の下向き黒三角を選択したという情報に基づいて、ステップｓ５０の動作指示ファイルにおいて、図３に示したファイルを取得する。そして、ステップｓ７０において、両者を合成して、回答画面ファイルを作成する。作成された回答画面ファイルは、インターネットを経由して、クライアントに送信され、ステップｓ１０のクライアント画面として表示される。表示される画面は、図５（Ｂ）の太枠線部分（ａ５）に示すようなプルダウンメニューである。なお、ステップｓ６０のデータ更新は、ユーザが表示されているデータの削除、追加などを行った場合に、その指示に応じて、データベース１８の内容を更新する場合の処理である。
【００３４】
また、図５（Ｂ）の太枠線部分（ａ５）に示すようなプルダウンメニューが表示された状態で、ユーザが、「土木」を選択すると、ステップｃ２０のクライアント回答は、図６（Ａ）の表示画面において、項目「業種」の右側に示されたプルダウンメニューから「土木」を選択したという情報及び現在の表示画面が「会社一覧」という情報である。
【００３５】
このクライアント回答は、インターネットを経由して、サーバ１０側のステップｓ１０において、問い合わせパラメータとして処理装置１２に取り込まれる。処理装置１２は、問い合わせパラメータを、ステップｓ２０の表示画面名と、ステップｓ３０のその他のパラメータに分離して処理を実行する。上述のように、図５（Ｂ）の表示画面において、プルダウンメニューから「土木」が選択された場合は、ステップｓ２０及びステップｓ３０が実行される。処理装置１２は、問い合わせパラメータにおいて現在の表示画面が「会社一覧」という情報から、ステップｓ４０の画面レイアウトファイルにおいて、図２（Ａ）に示した「会社一覧」（<title>会社一覧<title>）を取得し、また、項目「業種」の右側の下向き黒三角を選択されているという情報に基づいて、ステップｓ５０の動作指示ファイルにおいて、図３に示したファイルを取得する。一方、「土木」が選択されたという情報に基づいて、ステップｓ３０において、「土木」を選択し、ステップｓ７０において、両者を合成して、回答画面ファイルを作成する。作成された回答画面ファイルは、インターネットを経由して、クライアントに送信され、ステップｓ１０のクライアント画面として表示される。表示される画面は、図６（Ｂ）に示すような項目「業種」に、「土木」が表示された画面となる。
【００３６】
次に、図８及び図９を用いて、画面レイアウトファイルのみによる表示画面の遷移と、動作指示ファイルを含めた表示画面の遷移について説明する。  
図８は、本発明の一実施形態のウェブ・ページ・コンテンツ生成システムによる画面レイアウトファイルのみによる表示画面の遷移時の説明図である。図９は、本発明の一実施形態のウェブ・ページ・コンテンツ生成システムによる動作指示ファイルを含めた表示画面の遷移時の説明図である。
【００３７】
本発明の特徴として、前述したように、ウェブ・ページ・コンテンツを画面レイアウトファイル１４と動作指示ファイル１６とに分割した点にある。通常、ウェブ・ページ・コンテンツを生成する際には、画面レイアウトファイル１４と動作指示ファイル１６との両方を用いている。一方、本実施形態においては、画面レイアウトファイル１４のみを用いて表示画面の遷移を実行，確認できるようにしている。前述したように、ウェブ・ページ・コンテンツの生成は、ウェブ・ページ・コンテンツの表示画面をデザインするデザイナーと、表示画面をＨＴＭＬタグ等を用いてプログラミングするプログラマーの共同作業となっている。そして、従来は、最終的にプログラミングされた一つのファイルが生成されている。しかし、このように一つのファイルでウェブ・ページ・コンテンツを生成する場合には、最終的なウェブ・ページ・コンテンツのファイルが生成されないと、例えば、複数の表示画面間を遷移する場合において、デザイナーが表示画面の遷移状態のみを確認することができず、表示画面のデザインを容易に変更することができないものであった。そこで、本実施形態では、表示画面のための画面レイアウトファイル１４のみで、表示画面を遷移できるようにしている。
【００３８】
すなわち、図８（Ａ）に示すように、「会社一覧」の表示画面において、項目「会社コード」の「#D00#」を選択すると、図８（Ｂ）に示す「会社詳細」の画面に遷移することができる。また、図８（Ｂ）の表示画面において、「戻る」ボタンを選択することで、図８（Ａ）に示す「会社一覧」の画面に遷移することができる。これにより、デザイナーは、具体的なデータを表示することなく、表示画面の遷移を行え、表示画面のレイアウトを確認することができる。
【００３９】
そのために、画面レイアウトファイル１４は、図８（Ｃ），（Ｄ）に示すように構成されている。ここで、図８（Ｃ）は、図８（Ａ）の表示画面に対応する画面レイアウトファイルの構成であり、図８（Ｄ）は、図８（Ｂ）の表示画面に対応する画面レイアウトファイルの構成である。
【００４０】
図８（Ｃ）に示すように、「会社一覧」の画面レイアウトファイルの中には、「<a href="./_会社詳細.htm?kaisya_neme=$(kaisha_neme)&gyoushu=$(gyousyu)">#D00#</a>」と記述した「ａ」タグが記載されている。このタグにより、「#D00#」が選択されると、図８（Ｂ）に示す「会社詳細」画面に遷移することができる。また、図８（Ｄ）に示すように、「会社詳細」の画面レイアウトファイルの中には、「<a href="./_会社一覧.htm?kaisya_neme=$(kaisha_neme)&gyoushu=$(gyousyu)">戻る</a>」と記述した「ａ」タグが記載されている。このタグにより、「戻る」が選択されると、図８（Ａ）に示す「会社一覧」画面に遷移することができる。
【００４１】
なお、表示画面の遷移に用いるスクリプトとしては、「ａ」タグの代わりに、ジャバスクリプトを用いることもできる。いずれにしても、画面レイアウトファイルの中に、表示画面の遷移を行うための記述を含むことで、画面レイアウトファイルのみを用いて、表示画面を遷移することができ、デザイナーは容易に遷移した後の表示画面レイアウトを確認することができる。
【００４２】
ここで、参考までに、図９を用いて、画面レイアウトファイルと動作指示ファイルとにより表示画面の遷移を行う場合の回答画面ファイルの記述について説明する。
【００４３】
図９（Ａ）に示すように、「会社一覧」の表示画面において、項目「会社コード」の「１０００２」を選択すると、図８（Ｂ）に示す「会社詳細」の画面に遷移することができる。また、図８（Ｂ）の表示画面において、「戻る」ボタンを選択することで、図８（Ａ）に示す「会社一覧」の画面に遷移することができる。
【００４４】
このような遷移を可能にするため、図９（Ｃ）に示すように、「会社一覧」の回答画面ファイルの中には、「<a href="./_会社詳細.htm?kaisya_neme=&gyoushu=土木">10002</a>」と記述した「ａ」タグが記載されている。このタグにより、「１００２」が選択されると、図９（Ｂ）に示す「会社詳細」画面に遷移することができる。また、図９（Ｄ）に示すように、「会社詳細」の画面レイアウトファイルの中には、「<a href="./_会社一覧.htm?kaisya_neme=&gyoushu=土木">戻る</a>」と記述した「ａ」タグが記載されている。このタグにより、「戻る」が選択されると、図９（Ａ）に示す「会社一覧」画面に遷移することができる。
【００４５】
次に、図１０〜図１３を用いて、表示内容の更新の容易性について説明する。  
図１０は、本発明の一実施形態によるウェブ・ページ・コンテンツ生成システムにて用いるデータベースのデータ構成の説明図である。また、図１１は、本発明の一実施形態によるウェブ・ページ・コンテンツ生成システムにて生成される回答画面の説明図である。図１１（Ａ）は、回答画面の表示例を示し、図１１（Ｂ）は、ＨＴＭＬ形式で記述された回答画面のファイルの内容を示している。図１２は、本発明の一実施形態によるウェブ・ページ・コンテンツ生成システムにて用いる画面レイアウトファイルの一例の説明図である。図１２（Ａ）は、画面レイアウトファイル１４の内容を示し、図１２（Ｂ）は、画面の表示例を示している。また、図１３は、本発明の一実施形態によるウェブ・ページ・コンテンツ生成システムにて用いる動作指示ファイルの一例の説明図である。
【００４６】
図１０に示すように、データベース１８の中に、破線部分（ｃ１）で示すように、「会社データ」のファイルの中には、「資本金」に関するデータが蓄積されているものとする。「資本金」のデータは、元々あったものでもよく、追加されたものでもよい。
【００４７】
そして、図１１（Ａ）に示すように、検索結果の会社一覧の表示画面の破線部分（ｃ２）に、この資本金のデータを表示するようにしたい場合、画面レイアウトファイル１４と動作指示ファイル１６とを以下のように、訂正することで、容易に表示内容の更新を行うことができる。
【００４８】
すなわち、図２（Ａ）に示した太線枠部分（ａ１）に対して、図１２（Ａ）の画面レイアウトファイルの、太線枠部分（ｃ４）の中の破線で囲まれた部分に示すように、資本金データに関する「<td>#D03#</td>」のタグを追加する。これによって、画面レイアウトの表示例を示す図１２（Ｂ）に示すように、破線枠部分（ｃ５）の資本金の表示を追加することができる。また、図１３の太線枠部分（ｃ６）の破線枠部分に示すように、動作指示ファイルには、「，資本金」を追加する。
【００４９】
以上の追加訂正により、回答画面ファイルには、図１１（Ｂ）の太線枠部分（ｃ３）の中の破線枠部分に示すように、資本金のデータが追加され、図１１（Ａ）に示したように、資本金のデータを回答画面の中に追加することができる。
【００５０】
以上説明したように、本実施形態では、画面レイアウトファイルと、動作指示ファイルに分けて構成することで、ウェブ・ページ・コンテンツの更新を容易に行うことができる。
【００５１】
また、画面レイアウトファイルの中に、表示画面の遷移を示す記述を入れることで、画面レイアウトのみで、表示画面の遷移を行え、レイアウトの確認を容易に行うことができる。
【図面の簡単な説明】
【００５２】
【図１】本発明の一実施形態によるウェブ・ページ・コンテンツ生成システムのシステム構成を示すブロック図である。
【図２】本発明の一実施形態によるウェブ・ページ・コンテンツ生成システムにて用いる画面レイアウトファイルの一例の説明図である。
【図３】本発明の一実施形態によるウェブ・ページ・コンテンツ生成システムにて用いる動作指示ファイルの一例の説明図である。
【図４】本発明の一実施形態によるウェブ・ページ・コンテンツ生成システムにて用いるデータベースのデータ構成の説明図である。
【図５】本発明の一実施形態によるウェブ・ページ・コンテンツ生成システムにて生成される回答画面の説明図である。
【図６】本発明の一実施形態によるウェブ・ページ・コンテンツ生成システムにて生成される表示画面の遷移例の説明図である。
【図７】本発明の一実施形態によるウェブ・ページ・コンテンツ生成システムによる表示画面の遷移例時の処理フローの説明図である。
【図８】本発明の一実施形態のウェブ・ページ・コンテンツ生成システムによる画面レイアウトファイルのみによる表示画面の遷移時の説明図である。
【図９】本発明の一実施形態のウェブ・ページ・コンテンツ生成システムによる動作指示ファイルを含めた表示画面の遷移時の説明図である。
【図１０】本発明の一実施形態によるウェブ・ページ・コンテンツ生成システムにて用いるデータベースのデータ構成の説明図である。
【図１１】本発明の一実施形態によるウェブ・ページ・コンテンツ生成システムにて生成される回答画面の説明図である。
【図１２】本発明の一実施形態によるウェブ・ページ・コンテンツ生成システムにて用いる画面レイアウトファイルの一例の説明図である。
【図１３】本発明の一実施形態によるウェブ・ページ・コンテンツ生成システムにて用いる動作指示ファイルの一例の説明図である。
【符号の説明】
【００５３】
１０…サーバ
１２…処理装置
１４…画面レイアウトファイル
１６…動作指示ファイル
１８…データベース
２０…クライアント
２２…Ｗｅｂブラウザ２２
【図１】
2006276989.tif 000003
【図２】
2006276989.tif 000004
【図３】
2006276989.tif 000005
【図４】
2006276989.tif 000006
【図５】
2006276989.tif 000007
【図６】
2006276989.tif 000008
【図７】
2006276989.tif 000009
【図８】
2006276989.tif 000010
【図９】
2006276989.tif 000011
【図１０】
2006276989.tif 000012
【図１１】
2006276989.tif 000013
【図１２】
2006276989.tif 000014
【図１３】
2006276989.tif 000015